(57)【要約】  【課題】ワンタッチボタンを利用した宛先指定の操作性を向上させるとともに、ワンタッチボタンに表示される宛先情報を認識しやすくすることができる通信端末装置を提供する。  【解決手段】メニュー画面でワンタッチダイヤル送信を選択すると、ＬＣＤ表示部にワンタッチ送信の宛先指定画面が表示された（ステップ１０１）後、表示すべきワンタッチダイヤルの件数が所定数を超えているか否かが判別され（ステップ１０２）、所定件数を越えている場合には、表示画面にサイズ変更ボタン及びスクロールボタンを出現させる（ステップ１０３）。そして、ユーザがサイズ変更ボタンを押すと、表示画面に表示されているワンタッチボタンのサイズが変更され、ボタンの数が増加するとともに、ボタンに表示されている宛先情報の文字の大きさがボタンサイズの変更に合わせて変更される（ステップ１０５）。  【選択図】図３
2005072922.tif 000002
【特許請求の範囲】
【請求項１】
タッチパネル上に表示された宛先指定画面のワンタッチボタンを押下することにより宛先指定を行う通信端末装置において、ワンタッチ送信時に宛先指定画面を表示する制御手段を備え、宛先指定画面に表示するワンタッチダイヤルの件数が所定件数を超えている場合、上記制御手段が表示するワンタッチボタンのサイズを変更するためのサイズ変更指示手段を有効とすることを特徴とする通信端末装置。
【請求項２】
請求項１に記載の通信端末装置において、上記サイズ変更指示手段がタッチパネル画面内に表示されるボタンであり、宛先指定画面に表示するワンタッチダイヤルの件数が所定件数を超えている場合、上記制御手段がサイズ変更指示ボタンを画面内に出現させることを特徴とする通信端末装置。
【請求項３】
請求項１または請求項２に記載された通信端末装置において、上記制御手段が、宛先指定画面を表示する際、各ワンタッチボタン領域内に宛先情報を文字及び／又は記号により表示するとともに、ボタンサイズの変更に応じて宛先情報の文字及び／又は記号のサイズを変更することを特徴とする通信端末装置。
【請求項４】
請求項１〜３のいずれかに記載された通信端末装置において、ワンタッチダイヤルの宛先名、宛先電話番号等のワンタッチダイヤルデータをグループ毎に記憶する記憶手段を備え、上記制御手段は上記グループ毎に宛先指定画面を表示するとともに、表示するグループの登録件数が所定件数を超えているか否かを判断し、超えている場合、ワンタッチボタンのサイズを変更するためのサイズ変更指示手段を有効とすることを特徴とする通信端末装置。
【請求項５】
請求項１〜請求項４のいずれかに記載された通信端末装置において、ワンタッチダイヤルの宛先名、宛先電話番号等のワンタッチダイヤルデータをユーザ毎に記憶する記憶手段を備え、上記制御手段は上記ユーザ毎に宛先指定画面を表示するとともに、表示するユーザの登録件数が所定件数を超えているか否かを判断し、超えている場合、ワンタッチボタンのサイズを変更するためのサイズ変更指示手段を有効とすることを特徴とする通信端末装置。
【発明の詳細な説明】
【技術分野】
【０００１】
本発明は、通信端末装置に関し、特にタッチパネル上のワンタッチ登録ボタンを利用して宛先指定を行う通信端末装置に関する。
【背景技術】
【０００２】
複写機能、ファクシミリ機能、プリント機能、スキャナ機能等を有する最近のデジタル複合機やファクシミリ装置等の通信端末装置は、宛先を指定するためのテンキー、スタートキー等の各種キーを備えるとともに、指定した宛先を表示したり、装置の動作状態や種々の機能の操作画面を表示するためのＬＣＤ表示器等の表示装置を備え、ユーザは、テンキーにより宛先を入力し、それを表示装置で確認してファクシミリ送信を行っている。
【０００３】
また、頻繁に送信が行われる宛先の場合には、このような宛先をワンタッチキーに割り当てたり、大型のＬＣＤ表示器を備えたものでは、ＬＣＤ表示部にワンタッチボタンを表示し、これらのワンタッチダイヤルキーあるいはワンタッチダイヤルボタンを選択することにより所望の宛先にファクシミリ送信を行うことが可能になっている。
【０００４】
さらに、同一文章を多数の宛先にファクシミリ送信することもあるので、このような同報送信のための宛先を予めグループとして登録しておき、送信時にグループの番号とその構成宛先名を表示するグループ宛先画面を表示し、このグループ宛先画面で所望のグループを指定することによりグループを構成する各宛先に同報送信できるようにしたものもある（例えば、特許文献１参照）。
【特許文献１】特開２００２−２１８１２２号公報
【発明の開示】
【発明が解決しようとする課題】
【０００５】
このような通信端末装置において、ＬＣＤ表示部にワンタッチ登録ボタンを表示して宛先指定を行う場合、宛先指定画面には予め定められた数のワンタッチボタンが表示されるので、登録件数が多い場合には、宛先検索時に画面を何度も切り替えないと所望の宛先を表示できないという問題があった。
また、宛先指定画面に表示するボタン数を多くすると、操作性は向上するが、ボタンの表示サイズが小さくなるため、ワンタッチボタン内に表示される宛先情報の文字数を制限したり、文字サイズを小さくしなければならず、文字数を制限すると、宛先の認識が困難になり、文字サイズを小さくするとボタンに表示される文字や記号が読み取りにくくなるという問題があった。
【０００６】
本発明は、上記の問題に鑑みてなされたもので、ワンタッチボタンを利用した宛先指定の操作性を向上させるとともに、ワンタッチボタンに表示される宛先情報を認識しやすくすることができる通信端末装置を提供することを目的とする。
【課題を解決するための手段】
【０００７】
上述の目的を達成するため、請求項１に係る発明は、タッチパネル上に表示された宛先指定画面のワンタッチボタンを押下することにより宛先指定を行う通信端末装置において、ワンタッチ送信時に宛先指定画面を表示する制御手段を備え、宛先指定画面に表示するワンタッチダイヤルの件数が所定件数を超えている場合、上記制御手段が表示するワンタッチボタンのサイズを変更するためのサイズ変更指示手段を有効とすることを特徴とする。
【０００８】
また、請求項２に係る発明は、請求項１に記載の通信端末装置において、上記サイズ変更指示手段がタッチパネル画面内に表示されるボタンであり、宛先指定画面に表示するワンタッチダイヤルの件数が所定件数を超えている場合、上記制御手段がサイズ変更指示ボタンを画面内に出現させることを特徴とする。
【０００９】
さらに、請求項３に係る発明は、請求項１または請求項２に記載された通信端末装置において、上記制御手段が、宛先指定画面を表示する際、各ワンタッチボタン領域内に宛先情報を文字及び／又は記号により表示するとともに、ボタンサイズの変更に応じて宛先情報の文字及び／又は記号のサイズを変更することを特徴とする。
【００１０】
さらに、請求項４に係る発明は、請求項１〜請求項３のいずれかに記載された通信端末装置において、ワンタッチダイヤルの宛先名、宛先電話番号等のワンタッチダイヤルデータをグループ毎に記憶する記憶手段を備え、上記制御手段は上記グループ毎に宛先指定画面を表示するとともに、表示するグループの登録件数が所定件数を超えているか否かを判断し、超えている場合、ワンタッチボタンのサイズを変更するためのサイズ変更指示手段を有効とすることを特徴とする。
【００１１】
さらに、請求項５に係る発明は、請求項１〜請求項４のいずれかに記載された通信端末装置において、ワンタッチダイヤルの宛先名、宛先電話番号等のワンタッチダイヤルデータをユーザ毎に記憶する記憶手段を備え、上記制御手段は上記ユーザ毎に宛先指定画面を表示するとともに、表示するユーザの登録件数が所定件数を超えているか否かを判断し、超えている場合、ワンタッチボタンのサイズを変更するためのサイズ変更指示手段を有効とすることを特徴とする。
【発明の効果】
【００１２】
請求項１に係る発明の通信端末装置によれば、表示されるワンタッチダイヤルの件数が所定件数を超えている場合、ワンタッチボタンのサイズを変更するためのサイズ変更指示手段が有効となり、ユーザは必要に応じてボタンサイズを変更できるので、ボタンサイズを変更しなければ、宛先の文字や記号の読み取りを確実に行うことができ、また、表示される件数が多い場合に、サイズ変更指示手段によってボタンのサイズを変更すれば、宛先指定画面に表示されるボタンの数が増加し、指定宛先検索時に画面切替え数が少なくなり、操作性を向上することができる。
【００１３】
また、請求項２に係る発明の通信端末装置によれば、表示されるワンタッチダイヤルの件数が所定件数を超えている場合、画面内にサイズ変更ボタンが出現するので、ユーザは表示すべき件数が所定件数を超えていることを確実に認識でき、また必要に応じて簡単にボタンのサイズを変更することができる。
【００１４】
さらに、請求項３に係る発明の通信端末装置によれば、ボタンサイズの変更に応じてワンタッチボタンに表示される宛先情報の文字や記号のサイズが変更されるので、ボタンサイズが変更されても、宛先情報が消失することを防止することができる。
【００１５】
さらに、請求項４に係る発明の通信端末装置によれば、ワンタッチダイヤルの宛先名、宛先電話番号等のワンタッチダイヤルデータがグループ毎に記憶されているので、宛先指定画面にグループ毎にワンタッチボタンを表示することができ、宛先検索が容易になるとともに、登録データが分割されるので、表示すべきワンタッチダイヤルの件数が所定件数を超える場合を少なくすることができる。
【００１６】
さらに、請求項５に係る発明の通信端末装置によれば、ワンタッチダイヤルの宛先名、宛先電話番号等のワンタッチダイヤルデータがユーザ毎に記憶されているので、宛先指定画面にユーザ毎にワンタッチボタンを表示することができ、宛先検索が容易になるとともに、登録データが分割されるので、表示すべきワンタッチダイヤルの件数が所定件数を超える場合を少なくすることができる。
【実施例】
【００１７】
以下、本発明の通信端末装置を一例としてデジタル複合機に適用した場合の実施例について、図面を用いて説明する。図１はデジタル複合機の概略ブロック構成図であり、このデジタル複合機はＣＰＵ１、ＲＯＭ（Read Only Memory）２、ＲＡＭ（Random Access Memory）３、表示部４、操作部５、読取部６、画像メモリ７、記録部８、コーデック９、モデム１０、ネットワーク制御ユニットＮＣＵ１１、ＬＡＮインターフェース１２から構成され、各部がバス１３を介して接続されている。
【００１８】
ＣＰＵ１はバス１３を介してデジタル複合機のハードウェア各部を制御するとともに、ＲＯＭ２に記憶されたプログラムに基づいて各種のプログラムを実行し、ＲＯＭ２はデジタル複合機の動作に必要な種々のプログラムを予め記憶している。ＲＡＭ３はＳＲＡＭ等で構成され、プログラムの実行時に発生する一時的なデータを記憶するとともに、ユーザが適宜設定登録したワンタッチダイヤルの宛先名、宛先電話番号等のワンタッチダイヤルデータをユーザの指定したグループ毎に記憶するワンタッチダイヤルデータ記憶領域３１を有している。
【００１９】
表示部４はデジタル複合機の動作状態を表示したり、種々の機能の操作画面の表示を行い、操作部５はデジタル複合機を操作するための複数のキーから構成され、この表示部４と操作部５は図２に示すようにデジタル複合機の操作パネルに設けられている。表示部４を構成する大型ＬＣＤ表示部（大型表示画面）４１には、タッチパネルスイッチが配設されており、このＬＣＤ表示部４１に、ワンタッチボタン、グループタグ等の各種キーメニューを表示し、ＬＣＤ表示部４１の表示画面のうち、これらの各種表示キー部分を押下することで、対応するキーの選択または機能の実行を行うことができる。また、操作部５として、テンキー５１、スタートキー５２、リセットキー５３、ストップキー５４、十字キー５５、リターンキー５６、セットキー５７、ＦＡＸ切替キー５８、コピー切替キー５９、スキャナ切替キー６０等の各種キーが設けられている。
【００２０】
読取部６は、ＣＣＤ等を利用したスキャナで原稿を読み取り、白黒２値に変換したドットイメージデータを出力し、画像メモリ７は、ＤＲＡＭ等を用いて構成され、送信すべきイメージデータまたは受信したイメージデータを記憶する。記録部８は電子写真方式等のプリンタ装置を備え、受信したデータをハードコピーとしてプリントアウトする。
【００２１】
コーデック９は送信する画像情報を一定の符号化法によりデータ圧縮する一方、受信した画像データを復号して元の情報に復元するものである。モデム１０はバス１３に接続されており、ファクシミリ通信が可能なファックスモデムとしての機能を有し、このモデム１０は同様にバス１３に接続されたＮＣＵ１１と接続されている。ＮＣＵ１１はアナログ回線の閉結及び開放の動作を行うハードウェアであり、必要に応じてモデム１０を電話回線に接続する。
ＬＡＮインターフェース１２はＬＡＮ（Local Area Network）に接続され、ＬＡＮからの信号やデータを受信する一方、ＬＡＮに対して信号やデータを送信するものであり、信号変換やプロトコル変換などのインターフェース処理を実行する。
【００２２】
デジタル複合機は上記のような構成を備えており、ファクシミリ送信時には、原稿の画像データが読取部６で読み取られ、コーデック９で圧縮されて画像メモリ７に蓄積される。この圧縮された画像データがメモリ７から読み出されてモデム１０で変調され、ＮＣＵ１１から公衆電話回線を通して通信相手先に送信される。また、ファクシミリ受信時には、受信した画像データがモデム１０で復調され、画像メモリ７に蓄積された後、コーデック９で復号されて記録部８により印刷される。
【００２３】
一方、ワンタッチダイヤルの宛先名、宛先電話番号等の登録作業は、ＬＣＤ表示部４１の通常の操作画面とは異なる、「初期設定画面」と呼ばれる登録のための専用画面に移行した状態で行うことができる。すなわち、ＬＣＤ表示部４１の初期設定画面でワンタッチダイヤル登録を選択すると、ＬＣＤ表示部４１の表示がワンタッチダイヤルの宛先名、宛先電話番号、メールアドレス、グループ名等の入力画面に切替えられ、ユーザがこの入力画面で登録内容を入力すると、入力された登録内容がグループ毎にＲＡＭ３のワンタッチダイヤルデータ記憶領域３１に登録される。
【００２４】
次に、ワンタッチボタンを利用してワンタッチ送信を行う場合の作用について図３のフローチャートを用いて説明する。
ユーザがＬＣＤ表示部４１のメニュー画面でワンタッチダイヤル送信を選択すると、ＣＰＵ１はＬＣＤ表示部４１の表示画面に図４に示すようなワンタッチ送信の宛先指定の初期画面を表示する（ステップ１０１）。この画面には、図に示すように、グループＡに含まれる宛先を表示した複数のワンタッチボタン７０が表示されるとともに、グループタグ７１、７２、７３が表示されている。また、この表示画面の上部にはいずれかのワンタッチボタン７０が押下されたとき、その登録内容の詳細情報を表示する宛先表示欄７４が表示されている。
【００２５】
次に、ＣＰＵ１はグループＡの登録件数が所定件数、例えば９件、を超えているか否かを判別する（ステップ１０２）。グループＡの登録件数が所定件数を越えていない場合には、ステップ１０４に移り、登録件数が９件を超えていると判別した場合には、ＣＰＵ１は図５に示すように、ＬＣＤ表示部４１の表示画面にサイズ変更ボタン７５及びスクロールボタン７６、７７を出現させる（ステップ１０３）。
【００２６】
次に、ＣＰＵ１はこのサイズ変更ボタン７５が押下されたか否かを判別する（ステップ１０４）。サイズ変更ボタン７５が押下された場合には、ＣＰＵ１は表示画面に表示されているボタンのサイズを変更するとともに、ボタンに表示されている宛先情報の文字の大きさをボタンサイズの変更に合わせて変更する（ステップ１０５）。
例えば、現在ＬＣＤ表示部４１の表示画面に３行３列のワンタッチボタンを表示できる大きさのボタンが表示されている場合に、サイズ変更ボタン７５が押下されると、図６に示すように、ワンタッチボタンの大きさがＬＣＤ表示部４１の表示画面に４行４列のワンタッチボタンを表示できる大きさのボタンに変更される。この画面でサイズ変更ボタン７５が再度押下されると、ワンタッチボタンのサイズがＬＣＤ表示部４１の表示画面に５行５列のワンタッチボタンを表示できる大きさに変更される。そして、さらに、サイズ変更ボタン７５が押下された場合には、元に戻ってＬＣＤ表示部４１の表示画面に３行３列のワンタッチダイヤルボタンを表示できる大きさのボタンに変更することにより、サイズ変更ボタン７５が押下される度に、ボタンの大きさを順次変更することができる。なお、ボタンサイズを変更しても登録件数が画面に表示できる件数を超えている場合には、上記と同様に、表示画面を切替えるスクロールボタンが表示される。
【００２７】
この後、ＣＰＵ１はスクロールボタン７６、７７が押下されたか否かを判別し（ステップ１０６）、スクロールボタン７６、７７のいずれかのボタンが押下された場合には、宛先指定画面をスクロールの方向に応じてそのグループの次の画面あるいは前の画面に切替える。次に、ＣＰＵ１はグループタグ７１〜７３が押下されたか否かを判別し（ステップ１０８）し、グループタグ７１〜７３のいずれかが押下された場合には、ＣＰＵ１は押下されたグループタグのグループに含まれる宛先をワンタッチダイヤルデータ記憶領域３１から抽出して宛先指定画面を表示した（ステップ１０９）後、ステップ１０２に戻り、上記と同様にしてそのグループの登録件数が所定件数を超えていた場合には、サイズ変更ボタン及びスクロールボタンを表示する。
【００２８】
一方、ステップ１０８において、グループタグが押下されていないと判別した場合には、ＣＰＵ１はワンタッチボタン７０のいずれかが押下されたか否かを判別する（ステップ１１０）。ワンタッチボタン７０のいずれかが押下されたと判別した場合には、ＣＰＵ１は押下されたワンタッチボタンの宛先名、電話番号、メールアドレス等の詳細情報をワンタッチダイヤルデータ記憶領域３１から読み出して表示部４１の上部の宛先表示欄７４に表示する（ステップ１１１）。
【００２９】
次に、ＣＰＵ１は操作パネルのスタートボタン５２が押下されたか否かを判別する（ステップ１１２）。スタートボタン５２が押下されていない場合には、ステップ１０４に戻り、スタートボタン５２が押下された場合には、ＣＰＵ１は宛先表示欄７４に表示されている宛先にファクシミリの送信を開始し（ステップ１１３）、送信が終了すると、プログラムを終了する。
【００３０】
上記のように、宛先指定画面に表示すべきワンタッチダイヤルの件数が所定件数を超えている場合、ワンタッチボタンのサイズを変更するためのサイズ変更指示手段が有効となり、ユーザは必要に応じてボタンサイズを変更できるので、ボタンサイズを変更しない場合には、宛先の文字の読み取りを確実に行うことができ、また、表示すべき件数が多い場合に、ボタンサイズを変更すれば、宛先指定画面に多くのワンタッチボタンが表示され、宛先検索時の画面切替え数が少なくなるので、操作性を向上することができる。
また、ボタンサイズを変更する場合、上記のように、同一画面に表示するボタン数の上限値（上記実施例では２５件）を設定しておき、登録件数が上限値を超える場合には、画面に表示するボタン数を上限値にするとともに、表示画面を切り替えるスクロールボタンを表示する。このように、登録件数が上限値を超える場合でも、同一画面に表示されるボタン数が上限値を超えないように制御することにより、登録件数がいくら多くなっても、表示ボタン数が多くなりすぎること、即ち、表示文字等が小さくなりすぎることを防止することができる。
【００３１】
また、表示すべき件数が所定件数を超えている場合、サイズ変更ボタンが画面内に出現するので、ユーザは登録件数が所定件数を超えていることを確実に認識でき、また、ボタンサイズの変更に応じてワンタッチボタンに表示される宛先情報の文字のサイズが変更されるので、ボタンサイズが変更されても、宛先情報が消失することを防止することができる。
【００３２】
さらに、ワンタッチダイヤルの宛先名、宛先電話番号等のワンタッチダイヤルデータがグループ毎に記憶されているので、宛先表示画面にグループ毎にワンタッチボタンを表示することができ、宛先検索が容易になるとともに、登録データが分割されるので、表示すべきワンタッチダイヤルの件数が所定件数を超える場合を少なくすることができる。
【００３３】
上記の実施例では、ワンタッチダイヤルの宛先名、宛先電話番号等のワンタッチダイヤルデータをグループ毎に登録して、グループ毎にワンタッチボタンを表示したが、ワンタッチダイヤルデータをデジタル複合機のユーザ毎に登録し、図７に示すように、ユーザ毎のタグ７８〜８０とともに、選択されたユーザのワンタッチボタンを表示するようにすることも可能である。
【００３４】
また、上記の実施例では、サイズ変更ボタンを宛先指定画面内に表示したが、操作パネルに専用のハードキーとして設けることも可能である。例えば、図８に示すように操作パネルにサイズ変更キー６１を設けるとともに、このサイズ変更キー６１に表示手段としてのＬＥＤ６２を設け、表示すべきワンタッチダイヤルの件数が所定件数を超えている場合には、ＬＥＤ６２を点灯または点滅させることによりユーザに表示すべき件数が所定件数を超えていることを報知し、ユーザがサイズ変更キー６１を操作すれば、ボタンのサイズを変更できるようにしてもよい。
【００３５】
また、上記の実施例では、ＬＣＤ表示部の表示画面に同時に表示されるボタン数の上限値を５行５列の２５件としたが、この上限値は任意に設定することができ、また、ユーザ毎に設定変更できるようにすることも可能であり、このようにユーザ毎に設定変更できるようにすれば、各ユーザが自分の視力に応じた表示ボタン数を上限値として設定することができる。
さらに、上記の実施例では、ワンタッチボタンのサイズを変更する場合、表示画面に３行３列、４行４列、５行５列のボタンを表示できるサイズに変更する例について説明したが、表示すべき件数に逆比例した大きさのボタンサイズを演算により求め、常に表示画面いっぱいにすべてのワンタッチボタンを表示するようにすることもでき、このように演算でサイズを求める場合にも、同一画面に表示されるボタン数の上限値を設定することにより、表示ボタン数が多くなりすぎることを防止することができる。
また、上記の実施例では、メニュー画面でワンタッチダイヤル送信を選択した場合、ＬＣＤ表示部の表示画面に宛先指定の初期画面を表示するようにしたが、前回ワンタッチダイヤル送信を終了した時の宛先指定画面を最初に表示するようにすることも可能であり、また、上記の実施例では、宛先情報をワンタッチボタン内に文字により表示したが、適切な記号を用いて宛先情報を表示することも可能である。
【００３６】
また、上記の実施例では、ワンタッチダイヤル登録の宛先をグループ毎に登録したが、グループ分けせず、宛先表示画面にすべてのワンタッチダイヤルを分割して順次表示する場合にも、本発明の通信端末装置を適用することができる。
さらに、上記の実施例では、本発明の通信端末装置を複写機能、ファクシミリ機能、プリント機能、スキャナ機能等を有するデジタル複合機に適用した例を説明したが、本発明の通信端末装置は、通常のファクシミリ装置にも適用することができる。
【図面の簡単な説明】
【００３７】
【図１】本発明の通信端末装置を実施したデジタル複合機の概略ブロック図である。
【図２】デジタル複合機の操作パネルを示す図である。
【図３】ワンタッチ送信を行う場合の作用を示すフローチャートである。
【図４】宛先指定画面の表示の一例を示す図である。
【図５】宛先指定画面の表示の他の例を示す図である。
【図６】宛先指定画面の表示のさらに他の例を示す図である。
【図７】宛先指定画面の表示のさらに他の例を示す図である。
【図８】デジタル複合機の操作パネルの他の例を示す図である。
【符号の説明】
【００３８】
１  ＣＰＵ
２  ＲＯＭ
３  ＲＡＭ
３１  ワンタッチダイヤルデータ記憶領域
３２  指定宛先記憶領域
４  表示部
５  操作部
６  読取部
７  画像メモリ
８  記録部
９  コーデック
１０  モデム
１１  ＮＣＵ
１２  ＬＡＮインターフェース
１３  バス
４１  表示部
５１  テンキー
５２  スタートキー
５３  リセットキー
５４  ストップキー
５５  十字キー
５６  リターンキー
５７  セットキー
５８  ＦＡＸ切替キー
５９  コピー切替キー
６０  スキャナ切替キー
６１  サイズ変更キー
６２  ＬＥＤ
【図１】
2005072922.tif 000003
【図２】
2005072922.tif 000004
【図３】
2005072922.tif 000005
【図４】
2005072922.tif 000006
【図５】
2005072922.tif 000007
【図６】
2005072922.tif 000008
【図７】
2005072922.tif 000009
【図８】
2005072922.tif 000010